(57)【要約】【課題】 反射板の回転角度を広くすることができ、対象物に対して好適な照射を行えかつ反射板のスポットライト本体に対する取付操作も容易に行えるスポットライトを提供すること。【解決手段】 反射板１が取付用回転ガイド部材を介してスポットライト本体11に脱着自在に取り付けられている。反射板は、その円筒状取付基部４の外面に少なくとも一つの耳状突起５、５が突設されている。取付用回転ガイド部材11は、内面に前記取付基部４の突起を摺動自在に受け入れる環状溝13を有すると共に前記突起が当接する少なくとも一つの回り止め突部14を有している。外周面にライト本体に対する取付用係止突起17を有し、スポットライト本体は、その内壁に前記取付用係止突起がライト本体の円周方向に回転不能に係止される突起受け部を有すると共に、前記取付用係止突起を回転可能に受け入れる環状溝と、前記取付用回転ガイド部材を抜出方向に付勢する弾性部材とを備えている。【選択図】  図１
2008004455.tif 000002
【特許請求の範囲】
【請求項１】
反射板が取付用回転ガイド部材を介してスポットライト本体に脱着自在に取り付けられてなるスポットライトであって、
前記反射板は、その反射面が形成された凹状反射部と円筒状取付基部とを有し、該取付基部の外面に少なくとも一つの突起が突設され、
前記取付用回転ガイド部材は、内面に前記取付基部の突起を摺動自在に受け入れる環状溝を有すると共に前記突起が当接する少なくとも一つの回り止め突部を有する一方、外周面にスポットライト本体に対する取付用係止突起を有し、
スポットライト本体は、その内壁に前記取付用係止突起がスポットライト本体の円周方向に回転不能に係止される係止突起受け部を有すると共に、前記取付用係止突起を回転可能に受け入れる環状溝と、前記取付用回転ガイド部材を抜出方向に付勢する弾性部材とを備えていることを特徴とするスポットライト。
【請求項２】
取付用回転ガイド部材が、左右一対の半体が組み合わされてなる請求項１に記載のスポットライト。
【請求項３】
回転ガイド部材の取付用係止突起は、ガイド部材の進退方向に延びた長短一対の縦部と両縦部のライト本体側端部を連結する横部とからなる請求項１又は請求項２に記載のスポットライト。
【発明の詳細な説明】
【技術分野】
【０００１】
この発明は、スポットライト特に反射板取付構造に特徴を有するスポットライトに関する。
【背景技術】
【０００２】
スポットライトは、その目的によって対象物に対する照射角度や照射範囲を変更するために、反射板を交換する変わりに、反射板を所定角度回転させることができるようにスポットライト本体に取り付けられたものが提案されている（例えば、文献１）。
【特許文献１】特許第３４８８６８２号公報（図２、３）
【発明の開示】
【発明が解決しようとする課題】
【０００３】
この文献１に示されるスポットライトは、十分に所期する目的を達成するものであるが反射板の回転角度がいささか小さいという欠点がある。
【０００４】
この発明は、このような事情に鑑みてなされたもので、反射板の回転角度を広くすることができ、対象物に対して好適な照射を行えかつスポットライト本体に対する取付操作も容易に行えるスポットライトを提供することを目的とする。
【課題を解決するための手段】
【０００５】
上記目的を達成するために、請求項１の発明に係るスポットライトは、反射板が取付用回転ガイド部材を介してスポットライト本体に脱着自在に取り付けられてなるスポットライトであって、前記反射板は、その反射面が形成された凹状反射部と円筒状取付基部とを有し、該取付基部の外面に少なくとも一つの突起が突設され、
前記取付用回転ガイド部材は、内面に前記取付基部の突起を摺動自在に受け入れる環状溝を有すると共に前記突起が当接する少なくとも一つの回り止め突部を有する一方、外周面にライト本体に対する取付用係止突起を有し、
スポットライト本体は、その内壁に前記取付用係止突起がライト本体の円周方向に回転不能に係止される突起受け部を有すると共に、前記取付用係止突起を回転可能に受け入れる環状溝と、前記取付用回転ガイド部材を抜出方向に付勢する弾性部材とを備えている構成を採用する。
【０００６】
請求項２の発明に係るスポットライトは、請求項１の構成に加えて、取付用回転ガイド部材が、左右一対の半体が組み合わされてなる構成を採用する。
【０００７】
請求項３の発明に係るスポットライトは、請求項１又は請求項２の発明に係るスポットライトの構成に加えて、回転ガイド部材の取付用係止突起が、ガイド部材の進退方向に延びた長短一対の縦部と両縦部のスポットライト本体側端部を連結する横部とからなる構成を採用する。
【発明の効果】
【０００８】
請求項１の発明によれば、反射板は、その反射面が形成された凹部と円筒状取付基部とを有し、該取付基部の外面に少なくとも一つの突起が突設され、前記取付用回転ガイド部材が、内面に前記取付基部の突起を摺動自在に受け入れる環状溝を有すると共に前記突起が当接する少なくとも一つの回り止め突部を有しているので、反射板を回転させることに
よって確実にガイド部材を回転させてスポットライト本体に取り付けることができると共に、抜脱操作も簡単に行える。また、突起の摺動範囲ひいては反射板の回転角度を大きく取ることが可能となる。
【０００９】
請求項２の発明によれば、取付用回転ガイド部材が、左右一対の半体が組み合わされてなるものであるから、反射板をセットしやすい。
【００１０】
請求項３の発明によれば、回転ガイド部材の取付用係止突起は、進退方向に延びた長短一対の縦部と両縦部のスポットライト本体側端部を連結する横部とからなるものであるから、長短部間にスポットライト本体の係止突起受け部を受け入れて確実な係止が行われる。
【発明を実施するための最良の形態】
【００１１】
以下、この発明に係るスポットライトの実施形態に基づいて、図面を参照して具体的に説明する。
【００１２】
図１は、この発明に係るスポットライトの一実施形態の全体斜視図、図２は同要部の断面図、図３は、要部の斜視図、図４は、反射板及び取付用回転ガイド部材の分解斜視図、図５は取付操作時の概略説明図、図６は、図２のIV−IV線断面図に基づいた回転操作時の説明図である。
【００１３】
図１及び図２に示すように、反射板１がスポットライト本体２１の前面開口に取付用回転ガイド部材１１を介して取り付けられている。
【００１４】
反射板１は、反射面２が形成された凹状の反射部３と、該反射部３の基端に設けられた円筒状取付基部４とを備え、該取付基部４の外面に一対の耳状突起５，５が突設されている。
【００１５】
取付用回転ガイド部材１１は、図４に示すように一対の半体１２、１２からなり、各半体の内面に前記取付基部の突起５、５を摺動自在に受け入れる環状溝１３が設けられている。この環状溝１３の中間部には、前記耳状突起５が当接する回り止め突部１４が設けられている。
【００１６】
各半体１２には、一端に相手方の半体１２の端部に重なる延長部１２ａが設けられる一方、他端に相手方の延長部１２ａに重ね合わされる延長部受け部１２ｂが設けられている。延長部１２ａには、ねじ挿通孔１５が設けられ、延長部受け部１２ｂには、雌ねじ部１６が設けられている。
【００１７】
各半体１２の外周面には、スポットライト本体２１に対する係止用突起１７が突設されている。この係止用突起１７は、スポットライト本体に対する進退方向に延びた長短一対の縦部１７ａ、１７ｂと該両縦部１７ａ、１７ｂのスポットライト本体２１側の端部を連結する横部１７ｃとからなりいわばコ字状を呈している。
【００１８】
両半体１２、１２と反射板１との間には、その組合せ時に非平面的な円環状ばね１９が介在されている。
【００１９】
スポットライト本体２１は、前面が開口した円筒状に形成されると共に、内部に電球Ｐが接続されるソケット２７が設けられ、アーム３０を介して基台３１に吊り持ち状態に支持されている。スポットライト本体２１は、アーム３０に対して水平軸回りに回転可能に連結される一方、アーム３０は基台３１に対して垂直軸回りに回転可能に連結されている。
【００２０】
スポットライト本体２１は、その開口近傍の内壁に、前記取付用係止突起１７がスポットライト本体２１の円周方向に回転不能に係止される突起受け部２２、２２が点対称的に突設されると共に、突起受け部２２、２２の下方に前記取付用係止突起１７を回転可能に受け入れる環状溝２３が設けられている。
【００２１】
突起受け部２２の左右には第１突部２５及び第２突部２６が突設され、突起受け部２２と第２突部２６との間隔は、前記取付用係止突起１７が通過して環状溝２３内に受け入れられる間隔に設定されると共に、スポットライト本体の開口近傍の内径は、突起受け部２２と第２突部２６との間以外からは、前記取付用係止突起１７が環状溝２３内に侵入できないものとなされている。
【００２２】
また、スポットライト本体２１に取り付けられた反射板取付用回転ガイド部材を常にその抜出方向に付勢するばね２４が設けられ、係止突起１７を突起受け部２２に押圧係止するものとなされている。
【００２３】
而して、取付用回転ガイド部材１１にセットした反射板１をスポットライト本体２１に取り付ける操作について説明すると、図５Ａに示すように、鎖線で示すガイド部材１１（反射板の図示省略）の取付用係止突起１７を係止突起受け部２２と第２突部２６との間に位置させながら、ばね２４の弾性に抗するようにスポットライト本体奥部に向けてガイド部材１１を押し込む。
【００２４】
次に、その押し込み状態においてガイド部材１１を時計回り方向に回転させ、図５Ｂに示すように、両縦部１７ａと１７ｂとの間の上方に係止突起受け部２２が位置するようになった時に、押し込む力を緩める。すると、ばね弾性によりガイド部材１１が上方に押し上げられ、両縦部１７ａ、１７ｂ間に相対的に２２が嵌り込むと共に、横部１７ｃが係止突起受け部２２の下部に圧接する。この状態においては、ガイド部材１１の円周方向への回転は不能となっている。
【００２５】
図６Ａ〜Ｃは、ガイド部材１１のスポットライト本体２１への押し込み操作時におけるガイド部材１１と反射板１の耳状突起５、５との位置関係を示すもので、図６Ａは、係止突起１７が係止突起受け部２２と第２突部２６との間に位置した際に、耳状突起５が回り止め突起１４に当接していないので、反射板１を時計回りに回転させても必ずしもガイド部材１１が同時に回転しない場合がある。
【００２６】
そこで、反射板１を、その耳状突起５、５が回り止め突部１４に当接するまでように回転させると（図６Ｂ）ガイド部材１１も確実に反射板と一緒に回転可能となり、図６Ｃに示すように、係止突起１７が係止突起受け部２２に対応する位置にまで移動し、長い縦部１７ａの上部が係止受け部２２の下部に当接し、それ以上の回転が不能となる。
【００２７】
ここでガイド部材１１をスポットライト本体２１内に押し込んでいた力を緩めると、図５Ｂの状態が得られることになる。
【００２８】
この状態において、やはり反射板１１は反時計回りに回転可能であるから、反射板１１の角度調節が、反射板１１をスポットライト本体２１に取り付けたまま行えるのである。
【図面の簡単な説明】
【００２９】
【図１】この発明に係るスポットライトの一実施形態の全体斜視図である。
【図２】同要部の断面図である。
【図３】同要部の斜視図である。
【図４】反射板及び取付用回転ガイド部材の分解斜視図である。
【図５】取付操作時の概略説明図である。
【図６】Ａ〜Ｃは、図２のIV−IV線断面図に基づいた回転操作時の説明図である。
【符号の説明】
【００３０】
１・・・・・・・反射板
２・・・・・・・反射面
３・・・・・・・凹部
４・・・・・・・取付基部
５・・・・・・・耳状突起
１１・・・・・・ガイド部材
１３・・・・・・環状溝
１４・・・・・・回り止め突部
１７・・・・・・取付用係止突起
２１・・・・・・スポットライト本体
２４・・・・・・弾性部材
【図１】
2008004455.tif 000003
【図２】
2008004455.tif 000004
【図３】
2008004455.tif 000005
【図４】
2008004455.tif 000006
【図５】
2008004455.tif 000007
【図６】
2008004455.tif 000008